(57)【要約】【課題】池水に含まれる異物を速やかに排出する。マグロを遊泳させる最内周リング池の直径を大きくしながら、最内周リング池の内側にできる中心領域を有効に利用する。【解決手段】マグロの養殖池は、所定の幅を有する環状のリング池１を同心に複数列に配置している。隣接するリング池１は、池水を通過させるがマグロを通過させない通水性区画材４を介して連結している。各々のリング池１は、池水が強制流動器１５を介して同じ方向に回転するように流されるようにしている。養殖池は、最も内側に配置される最内周リング池１Ａの池底の内側に、池水を流入させる排水開口６を設けて、この排水開口６に排水管７を連結している。排水管７は、リング池１の外部の引出部に立上部７Ａを設けている。養殖池は、各々のリング池１に流動される池水を排水開口６と排水管７から外部に排出すると共に、排水管７の立上部７Ａで池水の水面レベルをコントロールしている。【選択図】図３
2009072121.tif 000002
【特許請求の範囲】
【請求項１】
所定の幅を有する環状のリング池(1)が同心に複数列に配置され、隣接するリング池(1)は池水を通過させるがマグロを通過させない通水性区画材(4)を介して池水を通過できるように連結され、さらに各々のリング池(1)の池水が強制流動器(15)を介して同じ方向に回転するように流されるようにしてなる地上に設置されるマグロの養殖池であって、
最も内側に配置される最内周リング池(1A)の池底の内側に、池水を流入させる排水開口(6)を設けて、この排水開口(6)に排水管(7)を連結しており、排水管(7)はリング池(1)の外部の引出部に立上部(7A)を設けており、
各々のリング池(1)に流動される池水が排水開口(6)と排水管(7)から外部に排出されると共に、排水管(7)の立上部(7A)で池水の水面レベルをコントロールするようにしてなる地上に設置されるマグロの養殖池。
【請求項２】
前記最内周リング池(1A)の池底の内側に沿って排水リング(8)を設けており、この排水リング(8)に排水開口(6)を設けている請求項１に記載される地上に設置されるマグロの養殖池。
【請求項３】
前記排水リング(8)が、上方を開口する溝形である請求項２に記載される地上に設置されるマグロの養殖池。
【請求項４】
前記排水リング(8)が、複数のリングユニット(8A)に分割されており、分割されたリングユニット(8A)が連結具(9)を介して連結されてなる請求項２に記載される地上に設置されるマグロの養殖池。
【請求項５】
前記リング池(1)の上方に、各々のリング池(1)に交差するように、歩み板(21)又はリング池(1)に水を噴射して池水を加速して流動させる強制流動器(15)からなる交差材(20)を配設しており、この交差材(20)の下流側に、池水の流れ方向に向かってリング池(1)に浮設してなる軟質材(22)を配置している請求項１に記載される地上に設置されるマグロの養殖池。
【請求項６】
軟質材(22)が交差材(20)に連結している可撓性シート(22A)である請求項７に記載される地上に設置されるマグロの養殖池。
【発明の詳細な説明】
【技術分野】
【０００１】
本発明は、地上に設置されるマグロの養殖池、すなわち地上にマグロ牧場を設けるもので、とくに池水を一定の方向に流す養殖池に関する。ただし、本明細書においてマグロ牧場に相当する養殖池は、マグロを大きくするためのみではなく、マグロを一時的に畜養する池を含む意味に使用する。
【背景技術】
【０００２】
本発明者は、地上に設置して池水を一定の方向に流す魚の養殖池を開発した。（特許文献１参照）この養殖池は、図１に示すように、複数列のリング池９１を同心に配置している。この養殖池は、各々のリング池９１の池水を矢印で示すように同じ方向に流す。池水は、リング池９１を回転するように流れて、中心に設けた排水管９２から排水される。排水管９２は、垂直に立てた立上部の上端を開口しており、この開口から池水をオーバーフローさせて池水の水面レベルを一定にする。全ての池水を、養殖池の中心に設けた１本の排水管９２から排水するために、隣接するリング池９１は通水性区画材９４で連結される。池水は、通水性区画材９４を通過して内側のリング池９１に流れて、中心の排水管９２からオーバーフローして外部に排水される。
【特許文献１】実開昭６３−１１９３５７号公報
【発明の開示】
【発明が解決しようとする課題】
【０００３】
図１に示す養殖池は、マグロ等の魚を流れに逆らって遊泳させることから、自然の海に近い環境で魚を生育できる。ただ、この養殖池は中心の排水管からゴミ、餌の残渣、糞などの異物を排出するので異物を速やかに排水するのが難しい。とくに、この養殖池は、立上部の上端開口部に池水をオーバーフローさせてリング池の水面レベルをコントロールしているので、排水管を池の底に開口できない。このため、底に沈降する異物を速やかに排水できない欠点があった。
【０００４】
また、この養殖池は、リング池の直径を小さくするとマグロなどの魚が常に曲がって遊泳することになって、自然の海と同じように遊泳できなくなる。とくに、マグロは大型魚であることから、リング池の直径を大きくすることが要求される。ところが、最内周リング池の直径を大きくすると、養殖に利用されない排水のためにのみ設けている中心の排水領域の面積が大きくなる弊害が発生する。
【０００５】
本発明は、さらにこの欠点を解決することを目的に開発されたものである。本発明の重要な目的は、池水に含まれる異物を速やかに排出できる地上に設置されるマグロの養殖池を提供することにある。
また、本発明の他の大切な目的は、マグロを遊泳させる最内周リング池の直径を大きくしながら、最内周リング池の内側にできる中心領域に池水を満たすことなく、ここを有効に利用できる地上に設置されるマグロの養殖池を提供することにある。
【課題を解決するための手段】
【０００６】
本発明の地上に設置されるマグロの養殖池は、前述の目的を達成するために以下の構成を備える。
マグロの養殖池は、地上に設置されるマグロの養殖池であって、所定の幅を有する環状のリング池１を同心に複数列に配置している。隣接するリング池１は、池水を通過させるがマグロを通過させない通水性区画材４を介して池水を通過できるように連結している。さらに、各々のリング池１は、池水が強制流動器１５を介して同じ方向に回転するように流されるようにしている。養殖池は、最も内側に配置される最内周リング池１Ａの池底の内側に、池水を流入させる排水開口６を設けて、この排水開口６に排水管７を連結している。排水管７は、リング池１の外部の引出部に立上部７Ａを設けている。養殖池は、各々のリング池１に流動される池水を排水開口６と排水管７から外部に排出すると共に、排水管７の立上部７Ａで池水の水面レベルをコントロールしている。
【０００７】
本発明の請求項２の地上に設置されるマグロの養殖池は、最内周リング池１Ａの池底の内側に沿って排水リング８を設けており、この排水リング８に排水開口６を設けている。さらに、本発明の請求項３のマグロの養殖池は、排水リング８を、上方を開口する溝形としている。さらにまた、本発明の請求項３のマグロの養殖池は、排水リング８を複数のリングユニット８Ａに分割しており、分割されたリングユニット８Ａを、連結具９を介して連結している。
【０００８】
本発明の請求項５の地上に設置されるマグロの養殖池は、リング池１の上方に、各々のリング池１に交差するように、歩み板２１、又はリング池１に水を噴射して池水を加速して流動させる強制流動器１５からなる交差材２０を配設しており、この交差材２０の下流側に、池水の流れ方向に向かってリング池１に浮設してなる軟質材２２を配置している。さらに、本発明の請求項６のマグロの養殖池は、軟質材２２を、交差材２０に連結している可撓性シート２２Ａとしている。
【発明の効果】
【０００９】
本発明の地上に設置される養殖池は、池水に含まれる異物を速やかに排出できる特徴がある。とくに、池水の底に沈降する異物を速やかに排出できる。それは、本発明の養殖池が、最内周リング池の底の内周に排水開口を設けて、この排水開口に排水管を連結して、排水開口と排水管で池水を外部に排出するからである。本発明の養殖池は、排水開口で池水の水面レベルをコントロールする必要がなく、最内周リング池の底部に開口されて、底に沈降する異物を速やかに排出する。水面レベルのコントロールは、排水開口に連結している排水管の立上部でコントロールする。
【００１０】
さらに、本発明の養殖池は、マグロを遊泳させる最内周リング池の直径を大きくしながら、最内周リング池の内側にできる中心領域に池水を満たすことなく、ここを有効に利用できる特徴がある。それは、本発明の養殖池が、最内周リング池の底部内側に排水開口を設けて、ここに排水管を連結して池水を排水するからである。地上に設置される養殖池は、限られた領域に設置されることから、できるかぎり設置される面積を有効に利用できることが大切である。このことが、全体の建設費用を低減させると共に、ランニングコストも低減するからである。
【００１１】
また、本発明の請求項２の養殖池は、最内周リング池の池底の内側に沿って排水リングを設けて、この排水リングに排水開口を設けている。この構造は、異物をより速やかに排出できる。それは、排水リングでもって最内周リング池の内側に沿って排水開口を設けることができるからである。とくに、本発明の請求項３の養殖池は、排水リングを上方開口の溝形とするので、排水リングの溝に異物を流入させてより速やかに外部に排出できる。また、本発明の請求項４の養殖池は、排水リングを複数のリングユニットに分割して、分割されたリングユニットを連結具で連結している。この構造は、簡単に施工して、最内周リング池の底内側に排水開口を設けて異物を速やかに排出できる。
【００１２】
さらに、本発明の請求項５の養殖池は、リング池の上方に、各々のリング池に交差するように、歩み板又はリング池に水を噴射して池水を加速して流動させる強制流動器からなる交差材を配設しており、この交差材の下流に、リング池に浮設してなる軟質材を設けている。この構造の養殖池は、リング池を遊泳して、水面から飛び上がるマグロの損傷を確実に防止できる。池水を強制的に流すリング池にマグロを入れると、これが勢いよく遊泳して水面から飛び上がることがある。飛びあがったマグロは、水面よりも上にある交差材に衝突して死傷する。交差材の下流に設けている軟質材は、流れに逆らって泳ぎながら水面から飛び上がるマグロが交差材に直接に衝突するのを防止する。軟質材の下側において、水面に飛び上がろうとするマグロは、リング池に浮設している軟質材によって、飛び上がるのが阻止されて、交差材に衝突するのが阻止される。また、軟質材の下流側において、飛び上がったマグロは、リング池に浮設している軟質材の上面に飛び上がり、交差材に直接に衝突して死滅することがない。とくに、本発明の請求項６の養殖池は、軟質材を可撓性シートとする。可撓性シートは、池水に流されてリング池に浮設される状態となり、水面から飛び上がるマグロが、交差材に直接に衝突するのを防止する。飛び上がるマグロは、可撓性シートに沿って移動し、交差材に衝突して死傷するのを確実に防止できる。
【発明を実施するための最良の形態】
【００１３】
以下、本発明の実施例を図面に基づいて説明する。ただし、以下に示す実施例は、本発明の技術思想を具体化するための地上に設置されるマグロの養殖池を例示するものであって、本発明は養殖池を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図２ないし図５に示す地上に設置されるマグロの養殖池は、環状のリング池１を同心に複数列に配置している。リング池１は、所定の幅と高さを有する溝形で上方を開口している。図の養殖池は、３列のリング池１を同心に設けている。３列のリング池１は、最内周リング池１Ａと最外周リング池１Ｃとの間に中間リング池１Ｂを設けて、各々のリング池１の幅を外側に向かって次第に広くしている。リング池１は、たとえば、最内周リング池１Ａの幅を１．５ｍ、中間リング池１Ｂの幅を２ｍ、最外周リング池１Ｃの幅を２．５ｍとする。また、リング池１を構成するリング壁２の高さは、たとえば３．６ｍとする。ただし、本発明の養殖池は、リング池１の幅とリング壁２の高さを特定するものではない。リング池１の幅と深さは、養殖し、あるいは畜養するマグロの種類や大きさを考慮して最適値に設計される。たとえば、リング池１の幅は１ｍ〜５ｍ、リング壁２の高さは５０ｃｍ〜５ｍとすることができる。さらに、以上の養殖池は３列のリング池１を設けているが、本発明の養殖池は３列以上又は２列のリング池を設けることができる。
【００１６】
図の養殖池は、地面に円形のリング壁２を垂直に固定して、リング池１の両側にリング壁２を設けている。図４と図５の養殖池は、地面に土間コンクリート２３を打設し、この土間コンクリート２３の上にプラスチック板からなる底板２４を固定している。さらに、底板２４の上に、リング壁２となる円形のプラスチック板を接着又は溶着して垂直に固定してリング池１を設けている。土間コンクリート２３は、たとえば厚さを２０ｃｍとし、プラスチック板は５ｍｍ厚のポリエチレン板を使用する。ただ、土間コンクリートとプラスチック板は厚くして強固にできるので、リング池の大きさによって最適値とする。さらに、図４と図５の養殖池は、最外周のリング壁２の外側にはコンクリート２５を固定して補強している。
【００１７】
隣接するリング池１の間のリング壁２は、一部に開口部３を設けている。この開口部３は、池水を通過できる通水性区画材４でマグロが通過しないように閉塞している。通水性区画材４は網やネットである。ただ、本発明のマグロの養殖池は、通水性区画材を網やネットに特定しない。通水性区画材は、図６に示すように、複数の水平ロッド３１を上下に離して連結している格子３０とすることもできる。図の格子３０は、上下の水平ロッド３１を、水平面内においてリング壁２に沿う方向に変形している。格子３０を構成する水平ロッド３１の間隔は、池水を通過させてマグロを通過させない隙間、たとえば、１ｃｍないし５ｃｍとしている。格子３０の通水性区画材４は、リング壁２の開口部３を、池水を通過させてマグロを通過しないように塞いでいる。
【００１８】
図に示す格子３０の通水性区画材４は、リング壁２に沿う方向に変形している水平ロッド３１を、水平面内において、通水性区画材４を連結しているリング壁２と同じ曲率半径に湾曲している。この養殖池は、リング壁２と格子３０をひとつの円周上に配置して、リング池１に沿って遊泳するマグロが格子３０に接触するのを有効に防止できる。水平ロッド３１は、ステンレス等の金属製の丸パイプである。ただ、水平ロッドは、必ずしもパイプとする必要はなく、ステンレス等の丸棒も使用できる。また、水平ロッドは、必ずしも丸パイプや丸棒とする必要はなく、たとえば断面を楕円形とし、あるいは多角形とすることもできる。
【００１９】
通水性区画材４の格子３０は、図７と図８に示すように、水平ロッド３１を上下ロッド３２で連結している。上下ロッド３２は、水平ロッド３１の中間の複数カ所を連結して、水平ロッド３１の間隔を一定に保持している。上下ロッド３２は、水平ロッド３１を貫通して一定の間隔に連結する。上下ロッド３２は、水平ロッド３１を一定の間隔に保持するスペーサ筒３３に挿通している。スペーサ筒３３は、上下の水平ロッド３１に挟着されて、水平ロッド３１の間に固定される。上下ロッド３２は一端に鍔３４を有し、他端に雄ネジ３５を設けており、この雄ネジ３５にナット３６をねじ込んで、水平ロッド３１を固定している。さらに、図の通水性区画材４の格子３０は、スペーサ筒３３の表面を回転パイプ３７でカバーしている。回転パイプ３７は、スペーサ筒３３の表面を回転できるようにカバーする。したがって、回転パイプ３７はその内径をスペーサ筒３３の外径よりも大きく、かつ全長をスペーサ筒３３よりも短くしている。回転パイプ３７はステンレス等の金属パイプである。
【００２０】
さらに、通水性区画材４の格子３０は、水平ロッド３１の両端を、溝形連結材３８の溝内に挿入して、この溝形連結材３８を介して連結している。溝形連結材３８もステンレス等の金属製の溝形鋼である。この格子３０は、溝形連結材３８と水平ロッド３１を貫通するように止ネジ３９で固定している。止ネジ３９は、水平ロッド３１を直径方向に貫通するように、溝形連結材３８と水平ロッド３１を貫通して、水平ロッド３１を溝形連結材３８に固定している。水平ロッド３１と溝形連結材３８は、図示しないが、止ネジによらずリベットで連結することができ、また溶接して連結することもできる。
【００２１】
以上に示す格子３０の通水性区画材４は、水平ロッド３１や回転パイプ３７や溝形連結材３８をステンレス等の金属製としている。金属製の格子３０である通水性区画材４は、全体を強固にできる特徴がある。ただ、格子の通水性区画材は、水平ロッドや回転パイプや溝形連結材を、プラスチック製とすることもできる。プラスチック製の格子は、たとえば、ポリ塩化ビニルやポリエチレン等のプラスチックで製作される。このように、プラスチックで製作される通水性区画材は、全体を軽くしながら、低コストに製造できる。
【００２２】
格子３０の通水性区画材４は、溝形連結材３８を介して格子３０の片側を水平面内で傾動できるように、リング壁２の開口部３の一方の側縁３Ａに連結している。図９の拡大断面図に示すように、格子３０は、溝形連結材３８とリング壁２の開口部３の内面に固定している蝶番４０を介して傾動できるようにリング壁２に連結している。格子３０の通水性区画材４は、蝶番４０と反対側の側縁を脱着部４Ａとして、開口部３の他方の側縁３Ｂに脱着できるように連結している。さらに、図６に示す通水性区画材４は、水平面内でスムーズに傾動できるように、脱着部４Ａである溝形連結材３８の下端にローラー４１を設けている。この通水性区画材４は、リング池１の底面に沿ってローラー４１を回転させて、スムーズに傾動できる。
【００２３】
以上のように、網やネット、あるいは格子３０からなる通水性区画材４は、隣のリング池１にマグロを移すのに使用できるように、片側を開口部３の一方の内側縁３Ａに連結して、他の片側を開口部３の他方の内側縁３Ｂに脱着できるように連結している。通水性区画材４は、脱着部４Ａを外して内側のリング壁２に連結して、マグロを内側から外側のリング池１に移送する。図示しないが、通水性区画材は、脱着部を外側のリング壁に連結して、外側のマグロを内側に移送することもできる。図の通水性区画材４は、リング池１の幅よりも広くして、内側又は外側のリング壁２に連結する状態で、リング壁２に対して傾斜する姿勢としている。この通水性区画材４は、マグロをスムーズに隣のリング池１に移送できる。
【００２４】
さらに、図２と図３の養殖池は、最も外側の最外周リング池１Ｃの外側に沿って取上池５を設けている。取上池５は、通水性区画材４を介して最外周リング池１Ｃに連結している。図の養殖池は、取上池５の両端部を通水性区画材４で最外周リング池１Ｃに連結している。この通水性区画材４は、最外周リング池１Ｃの外側壁から内側壁に移動できるように連結しており、通水性区画材４を最外周リング池１Ｃの内側壁に連結して、最外周リング池１Ｃのマグロを取上池５に移動できるようにしている。図３において、取上池５の右端に連結している通水性区画材４は、図の細線で示す位置（図２において矢印Ａで示す方向）に移動して、最外周リング池１Ｃのマグロを取上池５に移送する。通水性区画材４を太線位置に連結して、最外周リング池１Ｃのマグロを取上池５に移送することなく、最外周リング池１Ｃに遊泳させる。さらに、図３において取上池５の左上端部に連結している通水性区画材４は、図の細線で示す位置（図２において矢印Ｂで示す方向）に移動して、取上池５に移したマグロを最外周リング池１Ｃに戻すことができる。最外周リング池１Ｃに取上池５を連結して、通水性区画材４で最外周リング池１Ｃのマグロを取上池５に移送できる養殖池は、マグロを取上池５に入れて簡単に取り出しできる。また、取上池５に移動して取り出ししないマグロは、通水性区画材４を操作して、取上池５から最外周リング池１Ｃに簡単に移動できる。このため、取り出しするマグロを選別しながら能率よくマグロを養殖池から取り出しできる。
【００２５】
図１０ないし図１２は、取上池５のマグロを損傷なく簡単に取り出しできる排出具１０を示す。これ等の図に示す排出具１０は、取上池５に入れてマグロを簡単に取り出しできる。この排出具１０は、非通水性の底シート１２の両側に通水ネット１３を連結しているシート材１１の両側を２本のロッド１４に連結している。この排出具１０は、以下のようにして、取上池５のマグロを取り出しする。
（１）図３において、取上池５の右端に連結している通水性区画材４を太線位置として、取上池５にマグロを入れない状態で、図２に示すように、２本のロッド１４の間隔を取上池５の幅にほぼ等しくなるように広げて、シート材１１を取上池５につり込む。
（２）その後、図３において取上池５の右端の通水性区画材４を細線で示す位置（図２において矢印Ａで示す方向）に移動して、最外周リング池１Ｃのマグロを取上池５に移動させる。このとき、取上池５の左上端の通水性区画材４は、取上池５のマグロが最外周リング池１Ｃに戻らないように、太線で示す位置として、取上池５の左上端を閉塞する。
（３）２本のロッド１４をつり上げると、シート材１１の上のマグロが取上池５から取り上げられる。このとき、マグロは、図１０に示すように、底シート１２に縦に乗って暴れることがなく、また、水はシート材１１の通水ネット１３から排水される。したがって、マグロが底シート１２の上に乗った状態で、水切りして取り出し、能率よく、しかもマグロを損傷することなく取り出しできる。
【００２６】
リング池１の池水は、強制流動器１５で同じ方向に回転するように流動される。図２ないし図４の強制流動器１５は、循環ポンプ１６と、この循環ポンプ１６で加圧して排出される池水を噴射するノズル１８を固定している給水パイプ１７とからなる。図２ないし図４の養殖池は、対向する位置に給水パイプ１７を配置している。図において左側に配置される給水パイプ１７に池水を供給する循環ポンプ１６は水中ポンプで、池水を吸入し、これを加圧して給水パイプ１７に供給する。図３において右側に配置される給水パイプ１７に池水を供給する循環ポンプ１６は、後述する浄化槽２８で浄化された水を吸入し、これを加圧して給水パイプ１７に供給する。給水パイプ１７は、リング池１の液面から上方に離れて配置される。この給水パイプ１７は、リング池１を遊泳するマグロが衝突することがない。給水パイプ１７は、所定の間隔で複数のノズル１８を固定している。ノズル１８は、循環ポンプ１６から供給される池水をリング池１の水面に噴射して、リング池１の池水を加速して、リング池１に沿って回転させる。ノズル１８は、リング池１の池水を流す方向に傾斜して、リング池１の水面に池水を噴射する。養殖池の対向する位置に配置される両方の給水パイプ１７は、ノズル１８から噴射する池水で、池水を同じ方向に回転させる。給水パイプ１７は、リング池１に直交するように配置される。この構造の強制流動器１５は、リング池１の池水を一定の方向に流れるように加速しながら、池水に酸素を補給できる。ただ、本発明の養殖池は、強制流動器１５を以上の構造には特定しない。強制流動器には、リング池の池水を一定の方向に加速して流すことができる全ての構造にできるからである。
【００２７】
強制流動器１５でリング池１に沿って回転するように流される池水は、最内周リング池１Ａの内側に異物を集積させる。ここに集められる異物をリング池１から排出するために、最内周リング池１Ａの池底の内側に、池水を流入させる排水開口６を設けて、この排水開口６に排水管７を連結している。図３の養殖池は、最内周リング池１Ａの池底の内側に沿って排水リング８を設けて、この排水リング８に排水開口６を設けている。図１３は、排水リング８を示す斜視図である。この図の排水リング８は、上方を開口する溝形として排水開口６を設けている。さらに、この図の排水リング８は、複数のリングユニット８Ａに分割されて、分割されたリングユニット８Ａを連結具９で連結している。この構造の排水リング８は、同じ形状のリングユニット８Ａをプラスチックで成形し、これを連結具９で連結して簡単に施工できる。リングユニット８Ａは、最内周リング池１Ａの内側に沿う曲率半径に湾曲する形状であって、上方を開口する溝形に成形される。さらに、リングユニット８Ａは、連結具９に挿入して連結される連結部８ａを筒状とし、この連結部８ａを筒状の連結具９に挿入して簡単に連結できる。とくに、リングユニット８Ａと連結具９をプラスチックで成形し、これを接着剤で接着して簡単に連結できる。この構造の排水リング８は、３つのパイプをＴ字状に連結しているチーズを連結具９に使用し、この連結具９にリングユニット８Ａと排水管７を連結して、排水リング８に排水管７を簡単に連結できる。
【００２８】
溝形の排水リング８で上方を排水開口６とする構造は、最内周リング池１Ａの内側に集められる異物を速やかに外部に排出できる。ただし、本発明の養殖池は、最内周リング池に設ける排水開口をこの構造には特定しない。たとえば、最内周リング池の底部内周に沿って複数の排水開口を設け、各々の排水開口に排水管を連結する構造、また排水リングを多数の貫通孔のあるパイプとすることもできる。また、最内周リング池の底面を内周に沿って溝のある形状に成形し、この溝に排水開口を設けて排水管を連結する構造とすることもできる。
【００２９】
排水開口６を大きく開口する構造は、最内周リング池１Ａの内側に集められる異物を速やかに排出できる。ただ、畜養されるマグロが排水開口に対して小さいと、マグロが排水開口に侵入し、あるいは、排水開口で傷つくおそれがある。したがって、養殖池は、図４の一部拡大断面図に鎖線で示すように、排水開口６に網材１９を配置して、畜養されるマグロが排水開口６に侵入するのを防止することができる。この網材１９には、集められる異物を通過できるが、畜養されるマグロが通過できない網目のものを使用する。また、排水リングを多数の貫通孔のあるパイプとする構造は、パイプに開口される貫通孔の大きさを、異物を通過できるがマグロが通過できない大きさとしてマグロの侵入を防止できる。
【００３０】
排水管７は、図５に示すように、リング池１の底に埋設されて外部に引き出され、外部の引出部に立上部７Ａを設けている。立上部７Ａは、上端開口部７ａから池水を排水して、池水の水面レベルをコントロールする。池水の水面レベルは、立上部７Ａの上端開口部７ａのレベルにほぼ等しくなるので、立上部７Ａの上端開口部７ａの上下位置を調整してリング池１の水面レベルをコントロールできる。
【００３１】
図に示す立上部７Ａは、池水の水面レベルをコントロールする調整部２９を設けて、上端開口部７ａの高さを調整できる構造としている。図の調整部２９は、立上部７Ａの上端部に連結してなる連結筒２９Ａと、この連結筒２９Ａの上側に、脱着自在に連結される調整筒２９Ｂとからなる。この構造の調整部２９は、連結筒２９Ａに連結される調整筒２９Ｂの長さで上端開口部７ａの高さを調整できる。すなわち、この調整部２９は、連結筒２９Ａに連結する調整筒２９Ｂの長さを短くして、上端開口部７ａを低く、すなわち、池水の水面レベルを低くでき、また、連結筒２９Ａに連結する調整筒２９Ｂの長さを長くして、上端開口部７ａを高く、すなわち、池水の水面レベルを高くできる。この構造の調整部２９は、極めて簡単な構造で、池水の水面レベルを自由に調整できる。ただ、立上部は、図示しないが、伸縮できる二重筒構造として、上端開口部の高さを自由に調整することもできる。
【００３２】
排水管７から排水される池水は、排水槽２６に蓄えられる。排水管７の上端開口部７ａは排水槽２６の内部にあって、ここから排水する池水を排水槽２６に蓄える。排水管７から排水槽２６に流入される池水は、ポンプ２７で浄化槽２８に供給される。浄化槽２８は、ポンプ２７から供給される池水を物理濾過し、さらに生物濾過して清澄な池水とする。浄化槽２８で清澄になった池水は、さらに循環ポンプ１６に吸入されて給水パイプ１７に送られる。給水パイプ１７は、供給される池水をノズル１８から勢いよく噴射して、リング池１に沿って強制的に流動させる。図の養殖池は、リング池１の池水を、最内周リング池１Ａの池底の内側に設けた排水開口６→排水管７→排水槽２６→ポンプ２７→浄化槽２８→循環ポンプ１６→供給パイプ１７→リング池１に循環して、清澄に保持する。また、循環させる池水をノズル１８から噴射して、池水を強制的に流動させている。ただし、本発明のマグロの養殖池は、排水管から排水される池水を循環することなく外部に排水することで浄化槽を設けない構造とすることもでき、また、浄化槽で清澄になった池水をノズルから噴射することなく、リング池に循環することもできる。
【００３３】
図２ないし図４の養殖池は、リング池１の上方に、各々のリング池１に交差するように、すなわち、リング池１に橋渡しするように交差材２０を配置している。図の交差材２０は、作業用の歩み板２１と、リング池１に水を噴射して池水を加速して流動させる強制流動器１５の給水パイプ１７である。交差材２０は、これらの部材に特定するものでないが、用途を問わず交差材２０があると、リング池１のマグロに損傷を与える。リング池１の流れに逆らって遊泳するマグロが水面から飛び上がって衝突するからである。交差材２０は、ここに衝突したほとんどのマグロを死滅させる。
【００３４】
以上の弊害を解消するために、図２と図３に鎖線で示すように、交差材２０の下面から下流方向に延長して帯状の軟質材２２を配置している。図に示す帯状の軟質材２２は、マグロが衝突しても損傷しない可撓性シート２２Ａである。可撓性シート２２Ａは、図１４に示すように、一端を交差材２０の上流側の下面に固定すると共に、他端部を交差材２０の下流方向に延長して水面上に浮設している。この可撓性シート２２Ａは、図１４に示すように、下流側の先端部が池水の流れの方向に向かって流されて水面上に浮設される。さらに、給水パイプ１７である交差材２０に配設される可撓性シート２２Ａは、ノズル１８から噴射される池水が上面に供給されて、池水を一定の方向に流れるように加速して同じ方向に回転させる。マグロはリング池１の流れに逆らって泳ぐので、水面に飛び上がるマグロは、図１４において右側から左側に飛び跳ねようとする。このとき、可撓性シート２２Ａの下側において、水面に飛び上がろうとするマグロは、図の矢印Ａで示すように、可撓性シート２２Ａの下面に衝突して水中に落下して、交差材２０に衝突するのが阻止される。また、可撓性シート２２Ａの下流側において、水面に沿って飛び跳ねるマグロは、図の矢印Ｂで示すように、可撓性シート２２Ａの上面に落下するが、このマグロは、図１５に示すように、可撓性シート２２Ａに設けたスリット２２ａを通過して水中に戻り、あるいは、強制流動器１５のノズル１８から噴射される水圧で下流方向に押し流されて水中に戻る。このため、流れに逆らって飛び上がるマグロが交差材２０に衝突して損傷するのが阻止される。
【００３５】
図１５の可撓性シート２２Ａは、池水の流れに沿ってリング池１に浮設できるように、両側をリング壁２の内面に沿う湾曲形状としている。さらに、図の可撓性シート２２Ａは、上面に乗り上げたマグロを水中に戻すために、下流側の端部から中間部にかけて、複数列のスリット２２ａを開口して設けている。このスリット２２ａは、上面にマグロが乗り上げた状態では、図の鎖線で示すように拡開して、可撓性シート２２Ａの上面から下面にマグロを通過させて水中に戻す。ただ、図示しないが、このスリットは、下流側の端縁まで延長して開口して、可撓性シートの全体形状をのれん状とすることもできる。可撓性シート２２Ａは、水面から飛び上がるマグロが公差材２０に衝突するのを阻止できるように、飛び跳ねたマグロが水面上を前進する距離よりも長く、たとえば、マグロの体長の２〜５倍の長さとして、先端部を池水の流れに沿って浮設している。
【図面の簡単な説明】
【００３６】
【図１】本発明者が先に開発した魚の養殖池の平面図である。
【図２】本発明の一実施例にかかる地上に設置されるマグロの養殖池の斜視図である。
【図３】図２に示す地上に設置されるマグロの養殖池の概略平面図である。
【図４】図３に示すマグロの養殖池のＡ−Ａ線断面図である。
【図５】図３に示すマグロの養殖池のＢ−Ｂ線断面図である。
【図６】通水性区画材の他の一例を示す斜視図である。
【図７】図６に示す通水性区画材の分解斜視図である。
【図８】図６に示す通水性区画材の垂直断面図である。
【図９】図６に示す通水性区画材とリング壁の開口部との連結構造を示す拡大断面図である。
【図１０】排出具の一例を示す斜視図である。
【図１１】図１０に示す排出具の側面図である。
【図１２】図１０に示す排出具の展開図である。
【図１３】排水リングの一例を示す斜視図である。
【図１４】図２に示す養殖池の軟質材を示す断面図である。
【図１５】図１４に示す軟質材の平面図である。
【符号の説明】
【００３７】
１…リング池                １Ａ…最内周リング池
１Ｂ…中間リング池
１Ｃ…最外周リング池
２…リング壁
３…開口部                  ３Ａ…内周縁
３Ｂ…内周縁
４…通水性区画材            ４Ａ…脱着部
５…取出池
６…排水開口
７…排水管                  ７Ａ…立上部
７ａ…開口部
８…排水リング              ８Ａ…リングユニット
８ａ…連結部
９…連結具
１０…排出具
１１…シート材
１２…底シート
１３…通水ネット
１４…ロッド
１５…強制流動器
１６…ポンプ
１７…給水パイプ
１８…ノズル
１９…網材
２０…交差材
２１…歩み板
２２…軟質材                ２２Ａ…可撓性シート
２２ａ…スリット
２３…土間コンクリート
２４…底板
２５…コンクリート
２６…排水槽
２７…ポンプ
２８…浄化槽
２９…調整部                ２９Ａ…連結筒
２９Ｂ…調整筒
３０…格子
３１…水平ロッド
３２…上下ロッド
３３…スペーサ筒
３４…鍔
３５…雄ネジ
３６…ナット
３７…回転パイプ
３８…溝形連結材
３９…止ネジ
４０…蝶番
４１…ローラー
９１…リング池
９２…排水管
９４…通水性区画材
【図１】
2009072121.tif 000003
【図２】
2009072121.tif 000004
【図３】
2009072121.tif 000005
【図４】
2009072121.tif 000006
【図５】
2009072121.tif 000007
【図６】
2009072121.tif 000008
【図７】
2009072121.tif 000009
【図８】
2009072121.tif 000010
【図９】
2009072121.tif 000011
【図１０】
2009072121.tif 000012
【図１１】
2009072121.tif 000013
【図１２】
2009072121.tif 000014
【図１３】
2009072121.tif 000015
【図１４】
2009072121.tif 000016
【図１５】
2009072121.tif 000017